(57)【要約】【課題】ワイヤレス方式のＸ線検出装置と接続された診断装置本体の識別情報をＸ線検出装置の表示部に表示する。【解決手段】無線通信回線１を介して診断装置本体２と接続されたワイヤレス方式のＸ線検出装置３は、診断装置本体２のＸ線発生部２１によって放射され被検体１５０を透過したＸ線を検出するＸ線検出部３１と、検出されたＸ線に基づいて画像データを生成する画像データ部３２と、診断装置本体２に対し前記画像データを送信し、診断装置本体２から供給される診断装置本体２の装置識別情報を受信する送受信部３３と、前記装置識別情報を表示する表示部３５とを備える。【選択図】  図１
2015130969.tif 000002
【特許請求の範囲】
【請求項１】
無線通信回線を介して診断装置本体と接続されたワイヤレス方式のＸ線検出装置であって、
前記診断装置本体のＸ線発生手段によって放射され被検体を透過したＸ線を検出するＸ線検出手段と、
検出された前記Ｘ線に基づいて画像データを生成する画像データ生成手段と、
前記診断装置本体に対して前記画像データを送信し、前記診断装置本体から供給された前記診断装置本体の装置識別情報を受信する送受信手段と、
前記装置識別情報を表示する表示手段とを
備えたことを特徴とするＸ線検出装置。
【請求項２】
前記表示手段は、液晶、文字表示用ＬＥＤ（発光ダイオード）、フルカラーＬＥＤの少なくとも何れかを用いた表示デバイスを有し、前記診断装置本体から供給された前記装置識別情報あるいはこの装置識別情報に対応した文字情報や記号を表示することを特徴とする請求項１記載のＸ線検出装置。
【請求項３】
前記送受信手段が受信した前記診断装置本体の装置識別情報を保存する識別情報記憶手段を備え、前記表示手段は、前記識別情報記憶手段から連続的あるいは所定の時間間隔で断続的に読み出された前記装置識別情報に対応する文字情報や記号を表示することを特徴とする請求項２記載のＸ線検出装置。
【請求項４】
前記表示手段は、前記表示デバイスの点滅あるいは明暗により前記Ｘ線検出装置と前記診断装置本体との動作状態や接続状態を表示することを特徴とする請求項２記載のＸ線検出装置。
【請求項５】
無線通信回線を介して接続された診断装置本体とワイヤレス方式のＸ線検出装置とを備えるＸ線画像診断装置であって、
前記診断装置本体は、
被検体に対してＸ線を照射するＸ線発生手段と、
前記Ｘ線検出装置に対して前記診断装置本体の装置識別情報を送信し、前記Ｘ線検出装置から供給された画像データを受信する第１の送受信手段と、
前記第１の送受信手段によって受信された前記画像データを表示する第１の表示手段とを有し、
前記Ｘ線検出装置は、
前記診断装置本体の前記Ｘ線発生手段によって放射され前記被検体を透過したＸ線を検出するＸ線検出手段と、
検出された前記Ｘ線に基づいて画像データを生成する画像データ生成手段と、
前記診断装置本体に対して前記画像データを送信し、前記診断装置本体から供給された前記診断装置本体の装置識別情報を受信する第２の送受信手段と、
前記装置識別情報を表示する第２の表示手段とを
有することを特徴とするＸ線画像診断装置。
【請求項６】
診断装置本体に対して電気的な接続及び物理的な結合を有さないＸ線検出装置であって、
前記診断装置本体のＸ線発生手段によって放射され被検体を透過したＸ線を検出するＸ線検出手段と、
検出された前記Ｘ線に基づいて画像データを生成する画像データ生成手段と、
前記診断装置本体の装置識別情報を入力する入力手段と、
前記画像データに前記装置識別情報を付加して保存する画像データ記憶手段とを備えたことを特徴とするＸ線検出装置。
【請求項７】
過去のＸ線撮影において前記Ｘ線検出装置と組み合わせて用いた診断装置本体の識別情報一覧データが保管された識別情報保管手段と前記識別情報一覧データを表示する表示手段を備え、前記入力手段は、前記表示手段によって表示された前記識別情報一覧データに基づいて前記Ｘ線検出装置との組み合わせに好適な前記診断装置本体の装置識別情報を入力することを特徴とする請求項６記載のＸ線検出装置。
【請求項８】
被検体に対してＸ線を照射するＸ線発生手段を有した診断装置本体と、この診断装置本体に対して電気的な接続及び物理的な結合を有さないＸ線検出装置とを備えたＸ線画像診断装置であって、
前記Ｘ線検出装置は、
前記Ｘ線発生手段によって放射され被検体を透過したＸ線を検出するＸ線検出手段と、
検出された前記Ｘ線に基づいて画像データを生成する画像データ生成手段と、
前記診断装置本体の装置識別情報を入力する入力手段と、
前記画像データに前記装置識別情報を付加して保存する画像データ記憶手段とを備えたことを特徴とするＸ線画像診断装置。
【請求項９】
無線通信回線を介して診断装置本体と接続されたワイヤレス方式のＸ線検出装置に対し、
前記診断装置本体のＸ線発生手段によって放射され被検体を透過したＸ線を検出するＸ線検出機能と、
検出された前記Ｘ線に基づいて画像データを生成する画像データ生成機能と、
前記診断装置本体に対して前記画像データを送信し、前記診断装置本体から供給された前記診断装置本体の装置識別情報を受信する送受信機能と、
前記装置識別情報を表示する表示機能を
実行させることを特徴とする制御プログラム。
【請求項１０】
診断装置本体に対して電気的な接続及び物理的な結合を有さないＸ線検出装置に対し、
前記診断装置本体のＸ線発生手段によって放射され被検体を透過したＸ線を検出するＸ線検出機能と、
検出された前記Ｘ線に基づいて画像データを生成する画像データ生成機能と、
前記診断装置本体の装置識別情報を入力する入力機能と、
前記画像データに前記装置識別情報を付加して保存する画像データ記憶機能を
実行させることを特徴とする制御プログラム。
【発明の詳細な説明】
【技術分野】
【０００１】
本発明の実施形態は、無線通信回線等を介して診断装置本体と接続され画像データの生成と診断装置本体に対する送信を行うワイヤレス方式のＸ線検出装置及びこのＸ線検出装置を備えたＸ線画像診断装置とその制御プログラムに関する。
【背景技術】
【０００２】
Ｘ線画像診断装置やＸ線ＣＴ装置等を用いた医用画像診断は、コンピュータ技術の発展に伴って急速な進歩を遂げ、今日の医療において必要不可欠なものとなっている。
【０００３】
Ｘ線画像診断装置は、通常、被検体に対してＸ線を照射するＸ線発生部と、被検体を透過したＸ線を検出するＸ線検出部と、Ｘ線発生部やＸ線検出部を保持する保持部と、検出されたＸ線に基づいて画像データを生成する画像データ生成部と、得られた画像データを表示する表示部等から構成されている。
【０００４】
そして、従来のＸ線画像診断装置が備えるＸ線検出部では、Ｘ線検出デバイスとしてＸ線フィルムやＩ．Ｉ．（イメージ・インテンシファイア）が使用され、特にＩ．Ｉ．を用いた撮像方法では被検体を透過したＸ線をＩ．Ｉ．によって光学画像に変換し、更に、この光学画像をＸ線ＴＶカメラにより電気信号に変換してＴＶモニタ等に表示する方法が行われてきた。このＩ．Ｉ．を用いた撮影方法によりフィルム方式では出来なかったリアルタイム撮影を可能とし、又、画像データがデジタル信号として収集されるため種々の画像処理を可能とした。
【０００５】
一方、近年では、このＩ．Ｉ．に替わるものとして微小な複数の検出素子を２次元配列したＸ線平面検出器（以下、平面検出器と呼ぶ。）が実用化され、この平面検出器を用いた撮影方法によれば被検体を透過したＸ線は直接電気信号に変換されるため良質な画像データを安定して収集することが可能となった。
【０００６】
又、最近では、被検体を透過したＸ線を検出する機能及び検出されたＸ線に基づいて画像データを生成する機能を有したワイヤレス方式のＸ線検出装置と、無線通信回線を介して上述のＸ線検出装置と接続され、被検体に対してＸ線を照射する機能及びＸ線検出装置から供給された上述の画像データを表示する機能等を有した診断装置本体とが組み合わされたＸ線画像診断装置が開発され、更に、診断装置本体で画像処理された上述の画像データや診断装置本体との動作状態等をＸ線検出装置の表示部に表示する方法も提案されている。
【先行技術文献】
【特許文献】
【０００７】
【特許文献１】特開２０１０−５１５５９号公報
【特許文献２】特開２０１０−５１７２８号公報
【発明の概要】
【発明が解決しようとする課題】
【０００８】
上述の特許文献１等に記載されたワイヤレス方式のＸ線検出装置は可搬性を有するため被検体に対する撮影位置の設定や調整が容易となる。又、複数からなる診断装置本体の各々に対し共通のＸ線検出装置を順次装着して用いることにより、Ｘ線検出装置の有効活用が可能となりＸ線検査に要する費用を低減させることができる。
【０００９】
しかしながら、上述のように同一の医療施設あるいは検査室に設置されている複数の診断装置本体のいずれかとワイヤレス方式のＸ線検出装置とを組み合わせて被検体に対するＸ線撮影を行う場合、Ｘ線検出装置と診断装置本体との間には物理的な結合が存在しないため誤った組み合わせにより診断装置本体のＸ線発生部におけるＸ線照射とＸ線検出装置のＸ線検出部におけるＸ線検出が適切に行われない場合が発生し、このような場合には、検査効率が著しく低下するのみならず誤診を招くという問題点を有していた。
【００１０】
本開示は、このような従来の問題点に鑑みてなされたものであり、その目的は、ワイヤレス方式のＸ線検出装置を用いて被検体に対するＸ線撮影を行う際、無線通信回線を介して接続されている診断装置本体あるいは上記Ｘ線検出装置との接続を有さないＸ線検出装置の識別情報（以下、装置識別情報と呼ぶ。）をＸ線検出装置の表示部に表示あるいはＸ線検出装置において生成される画像データに付加することにより当該Ｘ線撮影に用いられた診断装置本体の確認を正確かつ容易に行うことが可能なＸ線画像診断装置、Ｘ線検出装置及び制御プログラムを提供することにある。
【課題を解決するための手段】
【００１１】
上記課題を解決するために、本開示のＸ線検出装置は、無線通信回線を介して診断装置本体と接続されたワイヤレス方式のＸ線検出装置であって、前記診断装置本体のＸ線発生手段によって放射され被検体を透過したＸ線を検出するＸ線検出手段と、検出された前記Ｘ線に基づいて画像データを生成する画像データ生成手段と、前記診断装置本体に対して前記画像データを送信し、前記診断装置本体から供給された前記診断装置本体の装置識別情報を受信する送受信手段と、前記装置識別情報を表示する表示手段とを備えたことを特徴としている。
【図面の簡単な説明】
【００１２】
【図１】本開示の実施形態におけるＸ線画像診断装置の全体構成を示すブロック図。
【図２】本実施形態のＸ線画像診断装置が備えるＸ線検出部及び画像データ生成部の具体的な構成を示すブロック図。
【図３】本実施形態のＸ線検出部が備える平面検出器を説明するための図。
【図４】本実施形態のＸ線検出装置において表示部に表示される装置識別情報の具体例を示す図。
【図５】本実施形態における画像データの表示手順を示すフローチャート。
【図６】本実施形態の変形例におけるＸ線画像診断装置の全体構成を示すブロック図。
【図７】本実施形態の変形例における識別情報一覧データの具体例を示す図。
【図８】本実施形態の変形例における画像データの収集手順を示すフローチャート。
【発明を実施するための形態】
【００１３】
以下、図面を参照して本開示の実施形態を説明する。
【００１４】
（実施形態）
以下に示す本実施形態のＸ線画像診断装置は、被検体に対するＸ線照射及びこのＸ線照射によって得られた画像データの表示等を行う診断装置本体と無線通信回線を介して診断装置本体と接続され上述のＸ線照射により被検体を透過したＸ線に基づいて画像データを生成するワイヤレス方式のＸ線検出装置を備え、各種Ｘ線検出装置の中から選択され上述の診断装置本体に装着された当該Ｘ線検出装置の表示部に無線通信回線を介して供給される前記診断装置本体の装置識別情報を表示することにより、Ｘ線検出装置が正確に選択されたか否かの判定を可能にする。
【００１５】
（装置の構成）
本実施形態におけるＸ線画像診断装置の構成と機能につき図１のブロック図を用いて説明する。
【００１６】
図１に示すＸ線画像診断装置１００は、自己の装置識別情報を後述するワイヤレス方式のＸ線検出装置３へ供給する機能と、被検体１５０に対してＸ線を照射する機能と、Ｘ線検出装置３から供給される画像データやその付帯情報を表示する機能を有した診断装置本体２と、無線通信回線１を介して診断装置本体２と接続され、この診断装置本体２から供給される上述の装置識別情報を表示する機能と、被検体１５０を透過したＸ線を検出することにより画像データを生成する機能と、得られた画像データを診断装置本体２へ供給する機能を有したワイヤレス方式のＸ線検出装置３を備えている。
【００１７】
そして、診断装置本体２は、所定位置に配置された被検体１５０の撮影領域に対してＸ線を照射するＸ線発生部２１と、Ｘ線発生部２１に対して高電圧を供給する高電圧発生部２２と、無線通信回線１を介して診断装置本体２の装置識別情報をＸ線検出装置３へ送信し、このＸ線検出装置３から供給される被検体１５０の画像データを受信する送受信部（第１の送受信部）２３と、得られた画像データを表示する表示部（第１の表示部）２４とを備え、更に、Ｘ線発生部２１及び上述のＸ線検出装置３を保持する図示しない保持部と、予め設定された自己の装置識別情報を保管する識別情報保管部２５と、無線通信回線１を介してＸ線検出装置３から供給された被検体１５０の画像データを保存する画像データ記憶部２６と、Ｘ線撮影条件の設定や各種指示信号の入力等を行う入力部２７と、診断装置本体２が備える上述のユニットを統括的に制御するシステム制御部２８とを備えている。
【００１８】
Ｘ線発生部２１は、被検体１５０の撮影領域に対してＸ線を照射するＸ線管２１１と、Ｘ線管２１１から放射されたＸ線に対してＸ線錘（コーンビーム）を形成するＸ線絞り器２１２を備えている。Ｘ線管２１１は、Ｘ線を発生する真空管であり、加熱された陰極（フィラメント）から生ずる熱電子を高電圧発生部２２から供給される直流高電圧により加速させてタングステン陽極に衝突させＸ線を発生させる。一方、Ｘ線絞り器２１２は、被検体１５０に対する被曝線量の低減と画像データの画質向上を目的として用いられ、Ｘ線管２１１から放射されたＸ線を所定の撮影領域に絞りこむ絞り羽根（上羽根）、絞り羽根に連動して移動することにより散乱線や漏れ線量を低減する下羽根、吸収量が少ない媒質を透過するＸ線を選択的に低減させてハレーションを防止する補償フィルタ（何れも図示せず）等を有している。
【００１９】
高電圧発生部２２は、Ｘ線管２１１の陰極から発生する熱電子を加速するために陽極と陰極の間に印加する高電圧を発生する高電圧発生器２２２と、Ｘ線撮影条件の１つとしてシステム制御部２８から供給されるＸ線照射条件に基づいて高電圧発生器２２２における管電流、管電圧、印加時間、印加タイミング等を制御するＸ線制御部２２１を備えている。このＸ線制御部２２１から供給される制御信号により所定の照射エネルギーを有したＸ線がＸ線管２１１から被検体１５０に向けて放射される。
【００２０】
送受信部２３は、無線通信回線１を介してＸ線検出装置３が備える後述の送受信部３３と接続され、撮影準備期間内に識別情報保管部２５から読み出された診断装置本体２の装置識別情報をＸ線検出装置３へ送信し、又、撮影期間内にＸ線検出装置３の画像データ生成部３２において生成され送受信部３３を介して供給された被検体１５０の画像データを受信する。
【００２１】
表示部２４は、図示しない表示データ生成部、データ変換部及びモニタを備え、表示データ生成部は、Ｘ線検出装置３において生成され、無線通信回線１及び送受信部２３を介して供給された画像データにシステム制御部２８等から供給される各種の付帯情報を必要に応じて付加することにより表示データを生成する。そして、データ変換部は、表示データ生成部が生成した表示データに対してＤ／Ａ変換やテレビフォーマット変換等の変換処理を行い上述のモニタに表示する。
【００２２】
一方、識別情報保管部２５には、当該医療施設に設置された複数からなる診断装置本体の中から診断装置本体２の識別を可能にする、例えば、「Ｘｒａｙ Ｓｙｓｔｅｍ−Ａ」等の装置識別情報が予め保管され、画像データ記憶部２６には、Ｘ線検出装置３から無線通信回線１及び送受信部２３を介して供給された被検体１５０の画像データが保存される。尚、画像データ記憶部２６では、当該Ｘ線撮影に先行して入力部２７において入力／設定された被検体情報やＸ線撮影条件等が付帯情報として上述の画像データと共に保存される。
【００２３】
入力部２７は、表示パネルやキーボード、トラックボール、ジョイスティック、マウスなどの入力デバイスを備えたインタラクティブなインターフェースであり、Ｘ線照射条件を含むＸ線撮影条件の設定、被検体情報（例えば、被検体名、被検体ＩＤ、生年月日、年齢、性別、身長、体重、既往歴等）や当該Ｘ線検査における検査情報（例えば、検査年月日、検査部位、撮影時の体位、撮影方向、造影剤の有無、撮影方式等）の入力、各種指示信号の入力等が上述の表示パネルや入力デバイスを用いて行われる。
【００２４】
システム制御部２８は、図示しないＣＰＵと入力情報記憶部を備え、入力部２７において入力あるいは設定された上述の各種情報は入力情報記憶部に保存される。そして、ＣＰＵは、これらの情報に基づいて診断装置本体２が備える上述の各ユニットを統括的に制御し、Ｘ線検出装置３に対する装置識別情報の供給、被検体１５０の撮影領域に対するＸ線照射、Ｘ線検出装置３から供給される画像データの表示等を実行させる。
【００２５】
次に、Ｘ線画像診断装置１００のＸ線検出装置３は、図１に示すように被検体１５０を透過したＸ線を検出するＸ線検出部３１と、検出されたＸ線に基づいて画像データを生成する画像データ生成部３２と、診断装置本体２から供給される装置識別情報の受信と診断装置本体２に対する画像データの送信を行う送受信部（第２の送受信部）３３と、この送受信部３３によって受信された診断装置本体２の装置識別情報を保存する識別情報記憶部３４と、識別情報記憶部３４から読み出した装置識別情報を表示する表示部（第２の表示部）３５と、Ｘ線検出装置３が備える上述のユニットを制御する制御部３６とを備えている。
【００２６】
次に、Ｘ線検出装置３が備えるＸ線検出部３１と画像データ生成部３２の具体的な構成と機能につき、図２及び図３を用いて更に詳しく説明する。
【００２７】
Ｘ線検出部３１は、図２に示すように被検体１５０を透過したＸ線を検出する平面検出器３１１と、検出されたＸ線を信号電荷として読み出すための駆動信号を平面検出器３１１へ供給するゲートドライバ３１２を有している。
【００２８】
平面検出器３１１は、微小な検出素子を後述の列方向及びライン方向に２次元配列して構成され、検出素子の各々は感知した入射Ｘ線量に応じて電荷を生成する光電膜と、この光電膜に発生した電荷を蓄積する電荷蓄積コンデンサと、電荷蓄積コンデンサに蓄積された電荷を所定のタイミングで読み出すＴＦＴ（薄膜トランジスタ）を備えている。以下では説明を簡単にするために、検出素子が列方向及びライン方向に２素子ずつ配列された平面検出器３１１について説明する。
【００２９】
図３の平面検出器３１１では、検出素子４１１−１１、４１１−１２、４１１−２１及び４１１−２２が有する光電膜４１２−１１、４１２−１２、４１２−２１及び４１２−２２の第１の端子と電荷蓄積コンデンサ４１３−１１、４１３−１２、４１３−２１及び４１３−２２の第１の端子とが接続され、その接続点はＴＦＴ４１４−１１、４１４−１２、４１４−２１及び４１４−２２のソース端子へ接続される。一方、光電膜４１２−１１、４１２−１２、４１２−２１及び４１２−２２の第２の端子は図示しないバイアス電源に接続され、電荷蓄積コンデンサ４１３−１１、４１３−１２、４１３−２１及び４１３−２２の第２の端子は接地される。
【００３０】
又、ライン方向（図３の水平方向）に配列されたＴＦＴ４１４−１１及びＴＦＴ４１４−２１のゲート端子はゲートドライバ３１２の出力端子４２−１に共通接続され、ＴＦＴ４１４−１２及びＴＦＴ４１４−２２のゲート端子はゲートドライバ３１２の出力端子４２−２に共通接続される。
【００３１】
一方、列方向（図３の垂直方向）に配列されたＴＦＴ４１４−１１及び４１４−１２のドレイン端子は信号出力線４１９−１に共通接続され、ＴＦＴ４１４−２１及び４１４−２２のドレイン端子は信号出力線４１９−２に共通接続される。そして、信号出力線４１９−１及び４１９−２は画像データ生成部３２の入力端子に接続されている。
【００３２】
ゲートドライバ３１２は、診断装置本体２から無線通信回線１、送受信部３３及び制御部３６を介して供給された撮影指示信号に基づき、Ｘ線発生部２１のＸ線照射によって検出素子（図３の４１１）の光電膜４１２で発生し電荷蓄積コンデンサ４１３にて蓄積された信号電荷を読み出すための駆動パルスを生成してＴＦＴ４１４のゲート端子４２−１及び４２−２へ供給する。
【００３３】
即ち、診断装置本体２から無線通信回線１を介して供給された撮影指示信号に基づいてＸ線検出器３１の平面検出器３１１に蓄積された信号電荷を読み出すことにより診断装置本体２のＸ線発生部２１におけるＸ線照射タイミングとＸ線検出装置３のＸ線検出部３１における信号電荷読み出しタイミングを同期させることが可能となる。
【００３４】
図２へ戻って、画像データ生成部３２は、平面検出器３１１から、例えば、ライン方向単位でパラレルに読み出された信号電荷を電圧に変換する電荷・電圧変換器３２１と、電荷・電圧変換器３２１の出力をデジタル信号（画像データのデータ要素）に変換するＡ／Ｄ変換器３２２と、Ａ／Ｄ変換された画像データのデータ要素を検出素子４１１の配列方向に対応させて保存することにより画像データを生成するデータ記憶部３２３を備えている。
【００３５】
次に、図１に示した送受信部３３は、無線通信回線１を介して診断装置本体２が備える送受信部２３との間で各種情報の送受信を行う機能を有し、撮影準備期間において診断装置本体２の識別情報保管部２５から読み出され送受信部２３を介して供給された診断装置本体２の装置識別情報を受信する。又、撮影期間内に診断装置本体２の入力部２７において入力されシステム制御部２８及び送受信部２３を介して供給された撮影指示信号を受信し、更に、この指示信号に基づいたＸ線撮影によって画像データ生成部３２が生成した被検体１５０の画像データを送受信部２３に対して送信する。
【００３６】
識別情報記憶部３４には、上述の送受信部３３において受信された診断装置本体２の装置識別情報が保存される。一方、表示部３５は、例えば、液晶、７セグメントの文字表示用ＬＥＤ（発光ダイオード）、フルカラーのＬＥＤ等を用いた表示デバイスを有し、上述の識別情報記憶部３４から連続的あるいは所定の時間間隔で断続的に読み出された装置識別情報あるいはこの装置識別情報に対応した各種の文字情報や記号を表示する。
【００３７】
尚、ＬＥＤを用いた装置識別情報の表示では、図４（ａ−１）乃至（ａ−３）のように、○で示した点灯（ＯＮ）状態及び●で示した消灯（ＯＦＦ）状態の複数個からなるＬＥＤを所定のルールに従って組み合わせることにより装置識別情報の表示を行ってもよく、又、図４（ｂ−１）乃至（ｂ−４）のようにＬＥＤの色を制御することによって上述の表示を行っても構わない。
【００３８】
そして、制御部３６は、Ｘ線検出装置３が備える上述のユニットを制御する機能を有し、特に、送受信部３３が診断装置本体２から無線通信回線１を介して供給される撮影指示信号を受信した場合、送受信部３３から出力された上述の撮影指示信号に基づいてＸ線検出部３１のゲートドライバ３１２を制御することにより、平面検出器３１１において検出された信号電荷の読み出しをＸ線発生部２１のＸ線照射と同期させて行うことが可能となる。
【００３９】
（画像データの表示手順）
次に、本実施形態のＸ線画像診断装置１００による画像データの表示手順につき図５のフローチャートに沿って説明する。
【００４０】
被検体１５０に対するＸ線撮影に先立ち、Ｘ線画像診断装置１００を操作する医療従事者（以下、操作者と呼ぶ。）は、医療施設内の所定位置に置かれた複数からなるワイヤレス方式のＸ線検出装置の中から所望のＸ線検出装置３を選択し（図５のステップＳ１）、当該Ｘ線撮影が行われる検査室に配置された診断装置本体２の保持部（例えば、ブッキースタンド）に装着する（図５のステップＳ２）。
【００４１】
一方、診断装置本体２のシステム制御部２８は、識別情報保管部２５から読み出した自己の装置識別情報を、送受信部２３及び無線通信回線１を介してＸ線検出装置３へ送信し、Ｘ線検出装置３の送受信部３３は、このとき受信した診断装置本体２の装置識別情報を識別情報記憶部３４に保存する（図５のステップＳ３）。そして、表示部３５は、識別情報記憶部３４から読み出した上述の装置識別情報を自己のモニタに表示する。（図５のステップＳ４）。
【００４２】
次いで、操作者は、表示部３５に表示された装置識別情報がＸ線検出装置３を装着した診断装置本体２の装置識別情報であるか否かを判定し、診断装置本体２以外の装置識別情報が表示されている場合、あるいは、如何なる装置識別情報も表示されていない場合には、診断装置本体２に対応した他のＸ線検出装置を再度選択した後、上述のステップＳ２乃至ステップＳ４を繰り返す（図５のステップＳ１乃至Ｓ４）。
【００４３】
一方、ステップＳ４において診断装置本体２の装置識別情報がＸ線検出装置３の表示部３５に表示された場合、操作者は、診断装置本体２のＸ線発生部２１とＸ線検出装置３のＸ線検出部３１との間に被検体１５０を配置し（図５のステップＳ５）、診断装置本体２の入力部２７において撮影指示信号を入力する（図５のステップＳ６）。
【００４４】
そして、この撮影指示信号がシステム制御部２８へ供給されることにより、被検体１５０の撮影領域に対するＸ線照射が行われる。例えば、Ｘ線撮影条件の１つとして入力部２７等において予め設定されたＸ線照射条件と上述の撮影指示信号をシステム制御部２８から受信した高電圧発生部２２のＸ線制御部２２１は、このＸ線照射条件に基づいて高電圧発生器２２２を制御しＸ線発生部２１のＸ線管２１１に高電圧を印加する。そして、高電圧が印加されたＸ線管２１１は、被検体１５０の撮影領域に対して所定の強度と照射時間を有したＸ線照射を行う（図５のステップＳ７）。
【００４５】
次いで、上述の撮影領域を透過したＸ線は、その後方に設けられたＸ線検出装置３のＸ線検出部３１が備える平面検出器３１１によって検出される。このとき、平面検出器３１１において２次元配列された検出素子４１１の光電膜４１２は撮影領域を透過したＸ線を検出し、その透過量に比例した信号電荷を電荷蓄積コンデンサ４１３に蓄積する。
【００４６】
そして、被検体１５０に対するＸ線照射が終了したならば、Ｘ線検出部３１のゲートドライバ３１２は、診断装置本体２から、無線通信回線１、送受信部３３及び制御部３６を介して供給される撮影指示信号に基づいて生成した駆動パルスを平面検出器３１１のＴＦＴ４１４へ供給し、電荷蓄積コンデンサ４１３に蓄積されている上述の信号電荷を順次読み出す（図５のステップＳ８）。
【００４７】
一方、画像データ生成部３２の電荷・電圧変換器３２１は、Ｘ線検出部３１の平面検出器３１１から供給された信号電荷を電圧変換し、Ａ／Ｄ変換器３２２は電荷・電圧変換器３２１の出力信号をアナログ／デジタル変換して画像データのデータ要素を生成する。そして、データ記憶部３２３は、Ａ／Ｄ変換器３２２から出力された画像データのデータ要素を検出素子４１１の配列方向に対応させて保存することにより画像データを生成し、得られた画像データを送受信部３３へ供給することにより診断装置本体２へ送信する（図５のステップＳ９）。
【００４８】
この時、診断装置本体２の送受信部２３は、Ｘ線検出装置３の送受信部３３から無線通信回線１を介して供給された上述の画像データを受信し、表示部２４のモニタに表示すると共に被検体１５０の被検体情報や予め設定されたＸ線撮影条件等を付帯情報として画像データ記憶部２６に保存する（図５のステップＳ１０）。
【００４９】
（変形例）
次に、本実施形態の変形例について説明する。
【００５０】
本変形例におけるＸ線画像診断装置は、被検体に対してＸ線照射を行う診断装置本体と、このＸ線照射により被検体を透過したＸ線に基づいて画像データを生成する上記診断装置本体との電気的な接続及び物理的な結合を有さないＸ線検出装置とを備え、Ｘ線検出装置は、得られた画像データに当該Ｘ線撮影に用いた診断装置本体の装置識別情報を付加して保存する機能を有する。
【００５１】
（装置の構成）
本変形例におけるＸ線画像診断装置の構成と機能につき図６のブロック図を用いて説明する。尚、図６において、図１に示した上述の実施形態におけるＸ線画像診断装置１００のユニットと同様の構成及び機能を有するユニットは同一の符号を付加し、詳細な説明は省略する。
【００５２】
図６に示した本変形例のＸ線画像診断装置２００は、被検体１５０に対してＸ線を照射する機能を有した診断装置本体２ａと、この照射により被検体を透過したＸ線に基づいて画像データを生成すると共にこの画像データに診断装置本体２ａの装置識別情報を付加して保存するＸ線検出装置３ａとを備え、診断装置本体２ａとＸ線検出装置３ａは電気的に分離されている。
【００５３】
そして、診断装置本体２ａは、所定位置に配置された被検体１５０の撮影領域に対してＸ線を照射するＸ線発生部２１と、Ｘ線発生部２１に対して高電圧を供給する高電圧発生部２２と、Ｘ線発生部２１及びＸ線検出装置３ａを保持する図示しない保持部と、Ｘ線撮影条件の設定や各種指示信号の入力等を行う入力部（第１の入力部）２７ａと、診断装置本体２ａが備える上述のユニットを統括的に制御するシステム制御部２８ａとを備えている。
【００５４】
入力部２７ａは、表示パネルやキーボード、トラックボール、ジョイスティック、マウスなどの入力デバイスを備えたインタラクティブなインターフェースであり、Ｘ線照射条件を含むＸ線撮影条件の設定、被検体情報や当該Ｘ線検査における検査情報の入力、各種指示信号の入力等が上述の表示パネルや入力デバイスを用いて行われる。
【００５５】
システム制御部２８ａは、図示しないＣＰＵと入力情報記憶部を備え、入力部２７ａにおいて入力あるいは設定された上述の各種情報は入力情報記憶部に保存される。そして、ＣＰＵは、これらの情報に基づいて診断装置本体２ａが備える上述の各ユニットを統括的に制御し、被検体１５０の撮影領域に対するＸ線照射等を実行させる。
【００５６】
一方、Ｘ線画像診断装置２００のＸ線検出装置３ａは、図６に示すように被検体１５０を透過したＸ線を検出するＸ線検出部３１と、検出されたＸ線に基づいて画像データを生成する画像データ生成部３２と、診断装置本体２ａのＸ線発生部２１が被検体１５０に対して照射するＸ線の照射タイミングを検出する照射タイミング検出部５１と、過去のＸ線撮影においてＸ線検出装置３ａと組み合わせて用いられた各種診断装置本体の識別情報一覧データが検査履歴として予め保管されている識別情報保管部５２と、識別情報一覧データを表示する表示部５３と、この識別情報一覧データを参照することにより後述の入力部５５にて入力された診断装置本体２ａの装置識別情報を画像データ生成部３２から供給される被検体１５０の画像データに付加して保存する画像データ記憶部５４とを備え、更に、当該Ｘ線撮影においてＸ線検出装置３ａと組み合せて用いられる診断装置本体２ａの装置識別情報を表示部５３に表示された上述の識別情報一覧データに基づいて入力（選択）する入力部（第２の入力部）５５と、Ｘ線検出装置３ａが備える上述の各ユニットを制御する制御部５６とを備えている。
【００５７】
図７は、Ｘ線検出装置３ａの表示部５３において示された識別情報一覧データの具体例を示したものであり、図７（ａ）は、当該Ｘ線撮影に使用される診断装置本体２ａが選択される前の識別情報一覧データを、又、図７（ｂ）は、上述の診断装置本体２ａが選択された後の識別情報一覧データを夫々示している。
【００５８】
例えば、図７（ａ）に示した診断装置本体選択前の識別情報一覧データには、過去のＸ線撮影においてＸ線検出装置３ａと組み合わせて用いられた各種診断装置本体の装置識別情報「Ｘｒａｙ Ｓｙｓｔｅｍ−ａ」、「Ｘｒａｙ Ｓｙｓｔｅｍ−ｂ」、「Ｘｒａｙ Ｓｙｓｔｅｍ−ｃ」・・・が使用時期の新しいものから順に示されている。
【００５９】
そして、この識別情報一覧データに基づいて診断装置本体２ａが選択された場合、図７（ｂ）に示した診断装置本体選択後の識別情報一覧データには、診断装置本体２ａに対応する装置識別情報「Ｘｒａｙ Ｓｙｓｔｅｍ−ｘ」（通常は「Ｘｒａｙ Ｓｙｓｔｅｍ−ａ」、「Ｘｒａｙ Ｓｙｓｔｅｍ−ｂ」、「Ｘｒａｙ Ｓｙｓｔｅｍ−ｃ」・・・の何れか）が追加され、図７（ａ）に示した他の装置識別情報と共に識別情報保管部５２に再度保管される。
【００６０】
（画像データの収集手順）
次に、本変形例のＸ線画像診断装置２００における画像データの収集手順につき図８のフローチャートに沿って説明する。
【００６１】
被検体１５０に対するＸ線撮影に先立ち、Ｘ線画像診断装置２００を扱う操作者は、医療施設内の所定位置に置かれた複数のＸ線検出装置の中から所望のＸ線検出装置３ａを選択し（図８のステップＳ１１）、当該Ｘ線撮影が行われる検査室や回診車内等に設置された診断装置本体２ａの保持部に装着する（図８のステップＳ１２）。
【００６２】
次に操作者は、入力部５５において読み出し指示信号を入力し、制御部５６を介して上述の指示信号を受信した識別情報保管部５２は、過去のＸ線撮影においてＸ線検出装置３ａと組み合わせて用いられた各種診断装置本体の識別情報一覧データを自己の記憶回路から読み出して表示部５３に表示する（図８のステップＳ１３）。そして、操作者は、表示された識別情報一覧データを参照し、診断装置本体２ａに対応する装置識別情報を入力部５５において入力する（図８のステップＳ１４）。このとき、識別情報保管部５２は、上述の識別情報一覧データに診断装置本体２ａの装置識別情報を追加して再度保存する。
【００６３】
装置識別情報の入力が終了したならば、操作者は、診断装置本体２ａのＸ線発生部２１とＸ線検出装置３ａのＸ線検出部３１との間に被検体１５０を配置した後（図８のステップＳ１５）、診断装置本体２ａの入力部２７ａにおいて撮影指示信号を入力する（図８のステップＳ１６）。
【００６４】
そして、この撮影指示信号がシステム制御部２８ａへ供給されることにより被検体１５０の撮影領域に対するＸ線照射が行われる（図８のステップＳ１７）。
【００６５】
次いで、上述の撮影領域を透過したＸ線は、その後方に設けられたＸ線検出装置３ａのＸ線検出部３１が備える平面検出器３１１によって検出される。このとき、平面検出器３１１において２次元配列された検出素子４１１の光電膜４１２は撮影領域を透過したＸ線を検出し、その透過量に比例した信号電荷を電荷蓄積コンデンサ４１３に蓄積する（図８のステップＳ１８）。
【００６６】
一方、被検体１５０の近傍に設けられた照射タイミング検出部５１は、Ｘ線発生部２１から照射されたＸ線に基づいて被検体１５０に対するＸ線照射タイミングを検出する（図８のステップＳ１９）。
【００６７】
そして、Ｘ線検出部３１のゲートドライバ３１２は、照射タイミング検出部５１から供給される照射タイミング信号に基づいて生成した駆動パルスを平面検出器３１１のＴＦＴ４１４へ供給することによって電荷蓄積コンデンサ４１３に蓄積されている上述の信号電荷を順次読み出す（図８のステップＳ２０）。
【００６８】
一方、画像データ生成部３２の電荷・電圧変換器３２１は、Ｘ線検出部３１の平面検出器３１１から供給された信号電荷を電圧変換し、Ａ／Ｄ変換器３２２は電荷・電圧変換器３２１の出力信号をアナログ／デジタル変換して画像データのデータ要素を生成する。
【００６９】
そして、データ記憶部３２３は、Ａ／Ｄ変換器３２２から出力された画像データのデータ要素を検出素子４１１の配列方向に対応させて保存することにより画像データを生成し（図８のステップＳ２１）、上述のステップＳ１４において入力された診断装置本体２ａの装置識別情報を上述の画像データに付加して画像データ記憶部５４に保存する（図８のステップＳ２２）。
【００７０】
以上述べた本開示の実施形態によれば、ワイヤレス方式のＸ線検出装置を用いて被検体に対するＸ線撮影を行う際、無線通信回線を介して接続されている診断装置本体の装置識別情報をＸ線検出装置の表示部に表示することにより当該Ｘ線検出装置と接続状態にある診断装置本体の確認を正確かつ容易に行うことができる。
【００７１】
このため、診断装置本体のＸ線発生部から照射されるＸ線に基づいた投影データの収集と画像データの生成が上述のＸ線検出装置において実行され、更に、このＸ線検出装置から無線通信回線を介して供給される画像データを診断装置本体の表示部において表示することが可能となる。
【００７２】
一方、上述の変形例によれば、診断装置本体との電気的な接続及び物理的な結合を有さないＸ線検出装置を用いて被検体に対するＸ線撮影を行う際、Ｘ線検出装置の画像データ生成部において生成された画像データに当該Ｘ線撮影に用いた診断装置本体の装置識別情報を付加して自己の画像データ記憶部に保存することにより、画像データとこの画像データの収集に用いた診断装置本体との関係を明確にすることができる。
【００７３】
特に、上述の画像データ記憶部に保存された画像データを専用の読影装置等において観測する場合、これらの画像データに付加された装置識別情報により当該Ｘ線検出装置と組み合わせて用いられた診断装置本体に関する情報を容易に得ることが可能となる。
【００７４】
以上、本開示の実施形態及びその変形例について述べてきたが、本開示は、上述の実施形態及びその変形例に限定されるものではなく更に変形して実施することが可能である。例えば、上述の実施形態におけるＸ線検出装置３では、無線通信回線１及び送受信部３３を介して供給された診断装置本体２の装置識別情報を識別情報記憶部３４に一旦保存した後表示部３５に表示する場合について述べたが、送受信部３３が受信した上述の装置識別情報を表示部３５に直接表示してもよい。
【００７５】
又、Ｘ線検出装置３の画像データ生成部３２が生成した画像データをそのまま診断装置本体２の表示部２４に表示する場合について述べたが、上述の画像データに対しＳ／Ｎ改善や輪郭強調等を目的とした画像処理機能をＸ線検出装置３あるいは診断装置本体２に持たせても構わない。
【００７６】
更に、Ｘ線検出装置３の表示部３５は、上述の装置識別情報を表示すると共に表示デバイスの点滅や明暗等によりＸ線検出装置３と診断装置本体２との動作状態や接続状態、更には、無線通信回線１の通信強度等を示してもよい。
【００７７】
又、図５に示した画像データの表示手順では、診断装置本体２の装置識別情報をＸ線検出装置３の表示部３５において確認した後、診断装置本体２に対する被検体１５０の配置を行う場合について述べたが、被検体１５０を配置した後装置識別情報の確認を行ってもよい。
【００７８】
一方、上述の変形例における操作者は、Ｘ線検出装置３ａの識別情報保管部５２から読み出した識別情報一覧データを参照した後、当該Ｘ線撮影に好適な診断装置本体２ａの装置識別情報を入力部５５の入力デバイスを用いて入力する場合について述べたが、識別情報一覧データに示された各種装置識別情報の中から診断装置本体２ａに対応する装置識別情報を上述の入力デバイスを用いて選択入力してもよい。この場合、識別情報一覧データには、過去のＸ線撮影においてＸ線検出装置３ａと組み合わせて使用した複数からなる診断装置本体の装置識別情報が示されていてもよく、又、当該Ｘ線撮影に先行して行われた他のＸ線撮影にて使用された診断装置本体の装置識別情報が優先的に示されていてもよい。
【００７９】
又、診断装置本体２ａの画像データ生成部３２が生成した画像データをそのまま画像データ記憶部５４に保存する場合について述べたが、上述の画像データに対してＳ／Ｎ改善や輪郭強調等を目的とした画像処理機能を画像データ生成部３２あるいは画像データ記憶部５４に持たせても構わない。
【００８０】
又、図８に示した画像データの収集手順では、診断装置本体２ａの装置識別情報をＸ線検出装置３ａの入力部５５に入力した後、診断装置本体２ａに対する被検体１５０の配置を行う場合について述べたが、被検体１５０の配置と装置識別情報の入力は順序を入れ替えて行ってもよい。
【００８１】
尚、本実施形態のＸ線画像診断装置１００あるいはＸ線画像診断装置２００に含まれる各ユニットは、例えば、ＣＰＵ、ＲＡＭ、磁気記憶装置、入力装置、表示装置等で構成されるコンピュータをハードウェアとして用いることでも実現することができる。例えば、Ｘ線画像診断装置１００の診断装置本体２が備えるシステム制御部２８及びＸ線検出装置３が備える制御部３６あるいはＸ線画像診断装置２００の診断装置本体２ａが備えるシステム制御部２８ａ及びＸ線検出装置３ａが備える制御部５６は、上記のコンピュータに搭載されたＣＰＵ等のプロセッサに所定の制御プログラムを実行させることにより各種機能を実現することができる。この場合、上述の制御プログラムをコンピュータに予めインストールしてもよく、又、コンピュータ読み取りが可能な記憶媒体への保存あるいはネットワークを介して配布された制御プログラムのコンピュータへのインストールであっても構わない。
【００８２】
以上、本発明のいくつかの実施形態を説明したが、これらの実施形態は、例として提示したものであり発明の範囲を限定することは意図していない。これら新規な実施形態は、その他の様々な形態で実施されることが可能であり、発明の要旨を逸脱しない範囲で種々の省略、置き換え、変更を行うことができる。これら実施形態やその変形例は、発明の範囲や要旨に含まれるとともに、特許請求の範囲に記載された発明とその均等の範囲に含まれる。
【符号の説明】
【００８３】
１…無線通信回線
２…診断装置本体
２１…Ｘ線発生部
２１１…Ｘ線管
２１２…Ｘ線絞り器
２２…高電圧発生部
２２１…Ｘ線制御部
２２２…高電圧発生器
２３…送受信部
２４…表示部
２５…識別情報保管部
２６…画像データ記憶部
２７…入力部
２８…システム制御部
３…Ｘ線検出装置
３１…Ｘ線検出部
３２…画像データ生成部
３３…送受信部
３４…識別情報記憶部
３５…表示部
３６…制御部
１００…Ｘ線画像診断装置
【図１】
2015130969.tif 000003
【図２】
2015130969.tif 000004
【図３】
2015130969.tif 000005
【図４】
2015130969.tif 000006
【図５】
2015130969.tif 000007
【図６】
2015130969.tif 000008
【図７】
2015130969.tif 000009
【図８】
2015130969.tif 000010